(57)【要約】【課題】各所に設置されている複数の降雪センサーによって取得される降雪量データを収集することで、地図上の平面的な広がりにおける積雪分布を把握することが可能な降積雪情報提供システム１を提供する。【解決手段】本発明に係る降積雪情報提供システムは、複数の場所に設置され、それぞれの場所で単位時間当たりの降雪量データを取得する降雪センサー５３と、前記降雪センサー５３で取得された降雪量データに基づいてオンオフが制御される消雪パイプ２０と、を少なくとも有する消雪パイプユニット５０を含む降積雪情報提供システムであって、前記消雪パイプユニット５０には、通信回線を介してデータの送受信を行うユニット側通信部５８が設けられ、前記降雪センサー５３で取得された降雪量データを前記ユニット側通信部５８から通信回線に送信することを特徴とする。【選択図】      図２
2019144012.tif 000002
【特許請求の範囲】
【請求項１】
複数の場所に設置され、それぞれの場所で単位時間当たりの降雪量データを取得する降雪センサーと、前記降雪センサーで取得された降雪量データに基づいてオンオフが制御される消雪パイプと、を少なくとも有する消雪パイプユニットを含む降積雪情報提供システムであって、
前記消雪パイプユニットには、通信回線を介してデータの送受信を行うユニット側通信部が設けられ、前記降雪センサーで取得された降雪量データを前記ユニット側通信部から通信回線に送信することを特徴とする降積雪情報提供システム。
【請求項２】
通信回線を介してデータの送受信を行う装置側通信部と、データの演算処理を行う演算処理部と、データの表示を行うデータ表示部と、を少なくとも有する情報処理装置と、をさらに含み、
前記装置側通信部が、前記ユニット側通信部から送信された降雪量データを受信することを特徴とする請求項１に記載の降積雪情報提供システム。
【請求項３】
前記情報処理装置の前記演算処理部は、受信した降雪量データを時間積分することで、複数の場所における累積降雪量データを算出し、複数の場所における累積降雪量データに基づいて累積降雪量のコンターデータを作成することを特徴とする請求項２に記載の降積雪情報提供システム。
【請求項４】
前記情報処理装置の前記データ表示部は、作成された累積降雪量のコンターデータを表示することを特徴とする請求項３に記載の降積雪情報提供システム。
【請求項５】
前記消雪パイプユニットの前記ユニット側通信部は、前記消雪パイプのオンオフデータを通信回線に送信することを特徴とする請求項１乃至請求項４のいずれか１項に記載の降積雪情報提供システム。
【請求項６】
前記情報処理装置の前記装置側通信部が、前記ユニット側通信部から送信されたオンオフデータを受信すると共に、前記情報処理装置のデータ表示部は、受信されたオンオフデータを表示することを特徴とする請求項５に記載の降積雪情報提供システム。
【請求項７】
前記消雪パイプユニットには、温度データを取得する温度センサーが設けられ、前記ユニット側通信部は、取得された温度データを通信回線に送信することを特徴とする請求項１乃至請求項６のいずれか１項に記載の降積雪情報提供システム。
【請求項８】
前記情報処理装置の前記装置側通信部が、前記ユニット側通信部から送信された温度データを受信すると共に、
前記演算処理部は、受信した複数の場所における温度データに基づいて温度のコンターデータを作成することを特徴とする請求項７に記載の降積雪情報提供システム。
【請求項９】
前記情報処理装置のデータ表示部は、作成された温度のコンターデータを表示することを特徴とする請求項８に記載の降積雪情報提供システム。
【請求項１０】
前記情報処理装置の前記演算処理部は、受信した降雪量データを時間積分することで、複数の場所における累積降雪量データを算出し、複数の場所における累積降雪量データと降雪の溶解と沈降とに基づいて、積雪量のコンターデータを作成することを特徴とする請求項３乃至請求項９のいずれか１項に記載の降積雪情報提供システム。
【請求項１１】
複数の場所に設置され、それぞれの場所で単位時間当たりの降雪量データを取得する降雪
センサーと、前記降雪センサーで取得された降雪量データに基づいてオンオフが制御される消雪パイプと、通信回線を介してデータの送受信を行うユニット側通信部と、を少なくとも有する消雪パイプユニットと、
通信回線を介してデータの送受信を行う装置側通信部と、データの演算処理を行う演算処理部と、データの表示を行うデータ表示部と、を少なくとも有する情報処理装置と、を含むシステムにおける降積雪情報提供方法であって、
前記降雪センサーで取得された降雪量データを前記ユニット側通信部から通信回線に送信する工程と、
前記装置側通信部が前記ユニット側通信部から送信された降雪量データを受信する工程と、
前記演算処理部が降雪量データを時間積分することで、複数の場所における累積降雪量データを算出し、複数の場所における累積降雪量データに基づいて累積降雪量のコンターデータを作成する工程と、
前記データ表示部が作成された累積降雪量のコンターデータを表示する工程と、を有することを特徴とする降積雪情報提供方法。
【発明の詳細な説明】
【技術分野】
【０００１】
本発明は、既存インフラである消雪パイプと共に設けられている降雪センサーに通信部を付加することで、降雪センサーで取得される降雪量データを収集し、平面的な広がりにおける積雪分布を把握可能とする降積雪情報提供システム及び降積雪情報提供方法に関する。
【背景技術】
【０００２】
気象予報に係る情報を人々に提供することはこれまで種々行われてきた。一方、降雪の多い地方においては、降雪の予報情報のみならず、現在までの降雪によってどの程度の積雪深があるのかに係る情報が提供されれば、当該地方の人々が行動予定を決定する上で、非常に有益なものとなる。
【０００３】
このような試みとして、例えば、特許文献１（特開２００５−３５６３号公報）には、観測領域の降雪状況を撮影する撮像手段１と、観測領域の積雪深を計測する積雪深計測手段２と、観測領域の温度を計測する温度計測手段３と、画像ファイル、積雪深・温度グラフ用ファイル及び時間降雪深ファイルをインターネットプロバイダのサーバー６に転送するデータ処理装置と、インターネットの利用者端末から閲覧可能なインターネットのホームページ８の一つのページ上に観測領域の画像Ｇ、積雪深・温度グラフＫ及び時間降雪深Ｆを表示する表示手段７とからなる積雪情報提供システムが開示されている。
【特許文献１】特開２００５−３５６３号公報
【発明の概要】
【発明が解決しようとする課題】
【０００４】
特許文献１記載の発明によると、特定の観測領域の積雪情報を得ようとする利用者は、パソコンや携帯電話端末等の利用者端末からインターネットを介して特定観測領域の画像、積雪深・温度グラフ及び時間降雪深を閲覧することができる。
【０００５】
しかしながら、このような積雪情報提供システムによれば、当該利用者は観測が行われている特定の観測領域に係る情報しか入手することができず、例えば、地図上の各点における積雪状況についての情報は入手することできず、いわば、平面的な広がりにおける積雪分布を把握することができない、という問題があった。
【０００６】
そこで、積雪深等を観測する観測点を複数各所に設けることが考えられるが、積雪情報提供システムのために積雪深センサー他を追加装備することは費用負担の点で難しい。
【０００７】
ところで、降雪の多い地方においては、降雪センサーと消雪パイプが対となって装備されていることが多く、降雪センサーによって取得される降雪量のデータに基づいて、対となっている消雪パイプによる散水のオンオフを制御していた。ところが、降雪センサーによって取得される降雪量データは、対となっている消雪パイプの散水の制御にしか利用されておらず、問題であった。
【課題を解決するための手段】
【０００８】
この発明は、上記のような課題を解決するものであり、本発明に係る降積雪情報提供システムは、複数の場所に設置され、それぞれの場所で単位時間当たりの降雪量データを取得する降雪センサーと、前記降雪センサーで取得された降雪量データに基づいてオンオフが制御される消雪パイプと、を少なくとも有する消雪パイプユニットを含む降積雪情報提供システムであって、前記消雪パイプユニットには、通信回線を介してデータの送受信を
行うユニット側通信部が設けられ、前記降雪センサーで取得された降雪量データを前記ユニット側通信部から通信回線に送信することを特徴とする。
【０００９】
また、本発明に係る降積雪情報提供システムは、通信回線を介してデータの送受信を行う装置側通信部と、データの演算処理を行う演算処理部と、データの表示を行うデータ表示部と、を少なくとも有する情報処理装置と、をさらに含み、前記装置側通信部が、前記ユニット側通信部から送信された降雪量データを受信することを特徴とする。
【００１０】
また、本発明に係る降積雪情報提供システムは、前記情報処理装置の前記演算処理部は、受信した降雪量データを時間積分することで、複数の場所における累積降雪量データを算出し、複数の場所における累積降雪量データに基づいて累積降雪量のコンターデータを作成することを特徴とする。
【００１１】
また、本発明に係る降積雪情報提供システムは、前記情報処理装置の前記データ表示部は、作成された累積降雪量のコンターデータを表示することを特徴とする。
【００１２】
また、本発明に係る降積雪情報提供システムは、前記消雪パイプユニットの前記ユニット側通信部は、前記消雪パイプのオンオフデータを通信回線に送信することを特徴とする。
【００１３】
また、本発明に係る降積雪情報提供システムは、前記情報処理装置の前記装置側通信部が、前記ユニット側通信部から送信されたオンオフデータを受信すると共に、前記情報処理装置のデータ表示部は、受信されたオンオフデータを表示することを特徴とする。
【００１４】
また、本発明に係る降積雪情報提供システムは、前記消雪パイプユニットには、温度データを取得する温度センサーが設けられ、前記ユニット側通信部は、取得された温度データを通信回線に送信することを特徴とする。
【００１５】
また、本発明に係る降積雪情報提供システムは、前記情報処理装置の前記装置側通信部が、前記ユニット側通信部から送信された温度データを受信すると共に、前記演算処理部は、受信した複数の場所における温度データに基づいて温度のコンターデータを作成することを特徴とする。
【００１６】
また、本発明に係る降積雪情報提供システムは、前記情報処理装置のデータ表示部は、作成された温度のコンターデータを表示することを特徴とする。
【００１７】
また、本発明に係る降積雪情報提供システムは、前記情報処理装置の前記演算処理部は、受信した降雪量データを時間積分することで、複数の場所における累積降雪量データを算出し、複数の場所における累積降雪量データと降雪の溶解と沈降とに基づいて、積雪量のコンターデータを作成することを特徴とする。
【００１８】
また、本発明に係る降積雪情報提供方法は、複数の場所に設置され、それぞれの場所で単位時間当たりの降雪量データを取得する降雪センサーと、前記降雪センサーで取得された降雪量データに基づいてオンオフが制御される消雪パイプと、通信回線を介してデータの送受信を行うユニット側通信部と、を少なくとも有する消雪パイプユニットと、通信回線を介してデータの送受信を行う装置側通信部と、データの演算処理を行う演算処理部と、データの表示を行うデータ表示部と、を少なくとも有する情報処理装置と、を含むシステムにおける降積雪情報提供方法であって、前記降雪センサーで取得された降雪量データを前記ユニット側通信部から通信回線に送信する工程と、前記装置側通信部が前記ユニット側通信部から送信された降雪量データを受信する工程と、前記演算処理部が降雪量デー
タを時間積分することで、複数の場所における累積降雪量データを算出し、複数の場所における累積降雪量データに基づいて累積降雪量のコンターデータを作成する工程と、前記データ表示部が作成された累積降雪量のコンターデータを表示する工程と、を有することを特徴とする。
【発明の効果】
【００１９】
本発明に係る降積雪情報提供システム・降積雪情報提供方法は、消雪パイプユニットには、通信回線を介してデータの送受信を行うユニット側通信部が設けられ、前記降雪センサーで取得された降雪量データを前記ユニット側通信部から通信回線に送信するので、このような本発明に係る降積雪情報提供システム・降積雪情報提供方法によれば、大きなコストをかけることなく、各所に設置されている複数の降雪センサーによって取得される降雪量データを収集することで、地図上の平面的な広がりにおける積雪分布を把握することが可能となる。
【００２０】
本発明に係る降積雪情報提供システム・降積雪情報提供方法は、既存の降雪センサー及び消雪パイプのインフラを利用し、前記インフラで得られた降雪量データやその他の情報を通信回線に接続するユニット側通信部を追加するのみで、通信回線を経由してリモートセンシングを実現することができる。さらに、本発明に係る降積雪情報提供システム・降積雪情報提供方法においては、降雪量データの演算処理部を追加することで、累積降雪量コンターを地図上に描画し、降雪状況の平面的分布を把握することができるようになる。
【図面の簡単な説明】
【００２１】
【図１】消雪パイプ２０の概略を説明する図である。
【図２】消雪パイプ２０の制御を行う本発明に係る消雪パイプユニット５０のブロック図である。
【図３】本発明の実施形態に係る降積雪情報提供システム１の概要構成を示す図である。
【図４】消雪パイプユニット５０から情報処理装置７０に送信されるデータの構造例を示す図である。
【図５】気象情報発信サーバー６０から情報処理装置７０に送信されるデータの構造例を示す図である。
【図６】情報処理装置７０の記憶部に記憶されるデータベース８０の概念図である。
【図７】地図データと対応する標高データを含むデータベースＤＢ1のデータ構造例を示す図である。
【図８】地図データと消雪パイプ２０の設置データを含むデータベースＤＢ2のデータ構造例を示す図である。
【図９】地図データと対応する累積降雪量コンター間隔データを含むデータベースＤＢ3のデータ構造例を示す図である。
【図１０】累積降雪量のコンター作成の際のコンター間隔の間隔例を説明する図である。
【図１１】情報処理装置７０の処理アルゴリズムのフローチャートを示す図である。
【図１２】本発明の実施形態に係る降積雪情報提供システム１による消雪パイプ２０の稼働状況の表示例を示す図である。
【図１３】情報処理装置７０の処理アルゴリズムのフローチャートを示す図である。
【図１４】標高データを参照して行う累積降雪量データの内挿の概念図である。
【図１５】雪雲データと風向データを参照して行う累積降雪量データの内挿の概念図である。
【図１６】本発明の実施形態に係る降積雪情報提供システム１による累積降雪量コンターの表示例を示す図である。
【図１７】情報処理装置７０の処理アルゴリズムのフローチャートを示す図である。
【図１８】本発明の実施形態に係る降積雪情報提供システム１による温度コンターの表示例を示す図である。
【図１９】情報処理装置７０の処理アルゴリズムのフローチャートを示す図である。
【図２０】溶解による累積降雪量の変化の概念を説明する図である。
【図２１】沈降による累積降雪量の変化の概念を説明する図である。
【発明を実施するための形態】
【００２２】
以下、本発明の実施の形態を図面を参照しつつ説明する。まず、既存インフラとして、降雪の多い地方に既設されている消雪パイプ２０の概要について説明する。図１は消雪パイプ２０の概略を説明する図である。
【００２３】
消雪パイプ２０は、道路面に対して地下水を散水することで、道路に降り積もった雪を融雪するものであり、概略、道路に埋め込んだパイプ２２と、このパイプ２２から道路の表面に連通し、道路の表面側に開口を有する散水ノズル２５と、パイプ２２に対して地下水をくみ上げて供給するポンプ３０と、から構成されている。
【００２４】
消雪パイプ２０においては、降雪時ポンプ３０を駆動して消雪パイプ２０による散水をオンとし、融雪完了時ポンプ３０を停止して消雪パイプ２０による散水をオフとする。この消雪パイプ２０のオンオフは手動によって行う簡単な構成とすることもできるが、消雪パイプ２０のオンオフを自動化する構成が進んでいる。
【００２５】
前記の自動化のために降雪量等を検知し、消雪パイプ２０のオンオフ制御を行う消雪パイプユニット５０が消雪パイプ２０と併設されることが多い。本発明に係る降積雪情報提供システム１では、この消雪パイプユニット５０に対し、新たに通信部を設けることで、降雪地方の複数の場所に設置されている消雪パイプユニット５０からの情報を収集して利用するようにしている。
【００２６】
図２は消雪パイプ２０の制御を行うと共に、降雪量等の情報の発信を行う本発明に用いる消雪パイプユニット５０のブロック図である。
【００２７】
消雪パイプユニット５０は、マイクロコンピューターなどからなる主制御部５１を有しており、この主制御部５１に対して検出した各種データが送信される。また、主制御部５１によるデータ処理に基づいて、主制御部５１は制御信号を発信するようになっている。
【００２８】
降雪センサー５３は、制御対象となる消雪パイプ２０の近傍に設置され、降雪量を検知するものである。降雪センサー５３としては、例えば光学式のものを用いることができる。降雪センサー５３で検知される降雪量データは、主制御部５１に対して送信されるようになっている。
【００２９】
ここで、降雪量データは単位時間当たりの降雪量に係るデータである。降雪量データにおける「降雪量」の単位は、降った雪の量を表すものであればどのようなものでもよいが、本実施形態では、「降雪量」を、降り積もった（と降雪センサー５３の検知データから想定される）雪の高さ［ｃｍ］によって表現するものとする。したがって、本実施形態では、「降雪量データ」は、単位時間当たりに降り積もった雪の高さ［ｃｍ／時間］が単位となる。また、「累積降雪量」は、降雪量データを時間積分した量であると定義する。すなわち、「累積降雪量」は、所定の時間で降り積もったと想定される雪の高さ［ｃｍ］に相当する。
【００３０】
また、本明細書では、「積雪量」と「降雪量」とは異なった量として定義する。前者は、降り積もった雪が、解けたり（溶解したり）、時間と共に自重の重みで沈んだり（沈降
したり）する分も含んだ量であり、一方、後者は降り積もった雪の溶解や沈降が考慮されていない量である。
【００３１】
また、消雪パイプユニット５０は温度センサー５４を備えており、検知した温度データを主制御部５１に対して送信する。主制御部５１は、降雪センサー５３や温度センサー５４から取得した各種検知データに基づいて判断を行い、消雪パイプ２０のポンプ３０を駆動する消雪パイプ制御部５７（モーター）に対してオンオフの制御信号を発するようになっている。
【００３２】
また、消雪パイプユニット５０には、ユニット側通信部５８が設けられており、このユニット側通信部５８を介して、通信ネットワークＮに対してデータを送受することが可能とされている。主制御部５１は、このユニット側通信部５８を介して、少なくとも、降雪センサー５３から取得した降雪量データ、温度センサー５４から取得した温度データ、及び、消雪パイプ２０に対して発している制御信号（オンオフデータ）を送信するようになっている。
【００３３】
なお、ユニット側通信部５８は有線方式の通信部であってもよいし、無線方式の通信部であってもよいが、後者の通信部の方がより好ましい。
【００３４】
図３は本発明の実施形態に係る降積雪情報提供システム１の概要構成を示す図である。本発明に係る降積雪情報提供システム１では、降雪地方の複数の場所に設置されている、上記のような消雪パイプユニット５０からの情報を、通信ネットワークＮを介して情報処理装置７０で収集する構成となっている。
【００３５】
情報処理装置７０としては、通信回線を介してデータの送受信を行う装置側通信部と、データの演算処理を行う演算処理部と、データを記憶する記憶部と、データの表示を行うデータ表示部と、を有している、現在広く普及しているパーソナルコンピューターなどを用いることができる。もちろん、パーソナルコンピューター以外の情報処理装置７０を適宜利用するようにしてもよい。
【００３６】
情報処理装置７０は、また通信ネットワークＮに接続され、各種の気象情報を発信する気象情報発信サーバー６０からの情報を受信可能に構成されている。
【００３７】
次に、上記のような本発明に係る降積雪情報提供システム１の情報処理装置７０が受信するデータの構造について説明する。
【００３８】
図４は消雪パイプユニット５０から情報処理装置７０に送信されるデータの構造例を示す図である。消雪パイプユニット５０から情報処理装置７０に送信され、情報処理装置７０側で受信されるデータＤoには、データフレームとして少なくともＤ1、Ｄ2、Ｄ3、Ｄ4
、Ｄ5の５つが含まれている。
【００３９】
データフレームＤ1には日付に係る「日付データ」が記述され、また、データフレーム
Ｄ2には時間に係る「時間データ」が記述され、また、データフレームＤ3には降雪センサー５３で検知された「降雪量データ」が記述され、また、データフレームＤ4には温度セ
ンサー５４で検知された「温度データ」が記述され、また、データフレームＤ5には消雪
パイプ２０の稼働状況（オンオフ）に係る「オンオフデータ」が記述されている。
【００４０】
上記の各データは、累積降雪量のコンターデータを作成する際などに用いられるが、詳細については後述する。また、上記のようなデータＤoは情報処理装置７０の記憶部に全
て履歴として記憶され、各種データ処理に供される。
【００４１】
次に、気象情報発信サーバー６０から発信されるデータについて説明する。図５は気象情報発信サーバー６０から情報処理装置７０に送信されるデータの構造例を示す図である。気象情報発信サーバー６０から情報処理装置７０に送信され、情報処理装置７０側で受信されるデータＷＤoには、データフレームとして少なくともＷＤ1、ＷＤ2、ＷＤ3、ＷＤ4の４つが含まれている。
【００４２】
データフレームＷＤ1には日付に係る「日付データ」が記述され、また、データフレー
ムＷＤ2には時間に係る「時間データ」が記述され、また、データフレームＷＤ3には気象情報として「雪雲データ」が記述され、データフレームＷＤ4には気象情報として「風向
データ」が記述されている
上記の各データは、累積降雪量のコンターデータを作成する際などに用いられるが、詳細については後述する。また、上記のようなデータＷＤoは情報処理装置７０の記憶部に
全て履歴として記憶され、各種データ処理に供される。
【００４３】
次に、予め準備しておき、情報処理装置７０の記憶部（不図示）に記憶される各データベースについて説明する。図６は情報処理装置７０の記憶部に記憶されるデータベース８０の概念図である。
【００４４】
情報処理装置７０の記憶部に記憶されるデータベース８０には、少なくとも、データベースＤＢ1、データベースＤＢ2、データベースＤＢ3の３つのデータベースが含まれてい
る。
【００４５】
データベースＤＢ1は地図データ上に、それぞれの場所の標高データが記憶されてなる
データベースである。このデータベースＤＢ1の概念図を図７に示す。図７は地図データ
と対応する標高データを含むデータベースＤＢ1のデータ構造例を示す図である。図７に
示すように、標高値１０ｍ、２０ｍ、３０ｍなどの標高値が地図データ上に記憶されている。
【００４６】
データベースＤＢ2は地図データ上に、消雪パイプ２０と共に設置される消雪パイプユ
ニット５０の設置状況が記憶されてなるデータベースである。このデータベースＤＢ2の
概念図を図８に示す。図８は地図データと消雪パイプ２０の設置データを含むデータベースＤＢ2のデータ構造例を示す図である。図８において、点線による○が消雪パイプユニ
ット５０の設置箇所を示している。
【００４７】
データベースＤＢ3は地図データ上に、累積降雪量のコンターを描画する際に、コンタ
ー間隔をどのように設定するかに係るデータが記憶されてなるデータベースである。このデータベースＤＢ3の概念図を図９に示す。図９は地図データと対応する累積降雪量コン
ター間隔データを含むデータベースＤＢ3のデータ構造例を示す図である。図９に示すよ
うに、データベースＤＢ3には、情報処理装置７０が、累積降雪量コンターを作成する際
のコンター間隔が示されている。
【００４８】
図９に示す例では、地図データの右側の領域で作成するコンター間隔は「密」に設定され、地図データの中央の領域で作成するコンター間隔は「中」に設定され、地図データの左側の領域で作成するコンター間隔は「疎」に設定されている。
【００４９】
コンター間隔が「密」、「中」、「疎」は、除雪の必要性が高いか否かによって決められている。コンター間隔が「密」の領域は、除雪の必要性の基準が高い領域であり、逆にコンター間隔が「疎」の領域は、除雪の必要性の基準が低い領域であり、コンター間隔が「中」の領域はその中間にある。
【００５０】
図１０は、上記のような累積降雪量のコンター作成の際のコンター間隔の間隔例を説明する図である。図１０（ａ）はコンター間隔が「密」の場合のコンター間隔例を示しており、図１０（ｂ）はコンター間隔が「中」の場合のコンター間隔例を示しており、図１０（ｃ）はコンター間隔が「疎」の場合のコンター間隔例を示している。
【００５１】
例えば、図１０（ａ）では、累積降雪量のコンター作成の際には、０ｃｍ、５ｃｍ、６ｃｍ、７ｃｍ、８ｃｍ、９ｃｍ、１０ｃｍ、１５ｃｍ、２０ｃｍ、・・・のような間隔でコンターを作成する。ここで、図（ａ）は除雪基準が高い領域であり、５ｃｍ〜１０ｃｍ間が１ｃｍで細かく刻まれているのは、除雪を行うか否かを判定する上で、５ｃｍ〜１０ｃｍ間の情報が重要となるからである。
【００５２】
以上のように構成を有する本発明に係る降積雪情報提供システム１の情報処理装置７０におけるデータ処理例について説明する。図１１は情報処理装置７０の処理アルゴリズムのフローチャートを示す図である。
【００５３】
図１１において、ステップＳ１０１では、情報処理装置７０は、全ての消雪パイプユニット５０からオンオフデータを取得する。続く、ステップＳ１０２では、取得したオンオフデータと、データベースＤＢ2とに基づいて、消雪パイプ２０の稼働状況を把握し、情
報処理装置７０の表示部において、消雪パイプ２０の稼働状況を地図データ上に表示する。図１２は、ステップＳ１０２による表示例を示している。
【００５４】
このように本発明に係る降積雪情報提供システム１によれば、消雪パイプ２０の稼働状況を地図データ上で一覧することができ、消雪パイプ２０の稼働状況の全体像の把握を的確に行うことができる。
【００５５】
次に、本発明に係る降積雪情報提供システム１の情報処理装置７０における他のデータ処理例について説明する。図１３は情報処理装置７０の処理アルゴリズムのフローチャートを示す図である。
【００５６】
情報処理装置７０は、ステップＳ２０１において、全ての消雪パイプユニット５０から降雪量データを取得し、履歴として記憶部（不図示）に記憶する。
【００５７】
ステップＳ２０２では、記憶部（不図示）に履歴として残されている降雪量データを時間積分することで、それぞれの消雪パイプユニット５０設置箇所における累積降雪量を算出する。
【００５８】
続いて、ステップＳ２０３データベースＤＢ1から標高データを取得し、ステップＳ２
０４では、気象情報発信サーバー６０から雪雲データ、風向データを取得する。
【００５９】
ステップＳ２０５では、標高データ、雪雲データ、風向データに応じて、消雪パイプユニット５０設置箇所でない、累積降雪量が測定されていない地点の累積降雪量データを内挿によって算出する。
【００６０】
ここで、内挿における標高データの利用について説明する。図１４は標高データを参照して行う累積降雪量データの内挿の概念図である。図１４は、Ａを場所Ａにおける累積降雪量（既知）とし、Ｂを場所Ｂにおける累積降雪量（既知）とし、未知の場所Ｐ、Ｐ’における累積降雪量を内挿する方法を図示している。
【００６１】
図１４（ａ）は、場所Ａと場所Ｂと標高が等しい場合の場所Ｐの累積降雪量Ｐの内挿を
説明する図である。ここで、累積降雪量Ｐは、ＫA、ＫBを所定の係数として、
Ｐ＝ＫA×Ａ＋ＫB×Ｂ
によって算出することができる。
【００６２】
一方、図１４（ｂ）は、場所Ｂの標高が、場所Ａの標高より高い場合の場所Ｐ’ の累
積降雪量Ｐ’の内挿を説明する図である。ここで、累積降雪量Ｐ’は、ＫA、ＫB’を所定の係数として、
Ｐ’＝ＫA×Ａ＋ＫB’×Ｂ
によって算出する。ただし、場所Ｂの標高が、場所Ｐ’より高く、場所Ｂからの影響が少なく見積もれるので、ＫB’ ＜ＫBとしている。
【００６３】
このように、本発明に係る降積雪情報提供システム１では、標高データを考慮した行うこととし、より精度の高い累積降雪量コンターを作成するようにしている。
【００６４】
次に、内挿における雪雲データ、風向データの利用について説明する。図１５は雪雲データと風向データを参照して行う累積降雪量データの内挿の概念図である。図１５は、Ａ、Ｂ、Ｃ、Ｄ、Ｐ、を鳥瞰的に見た図である。
【００６５】
図１５では、Ａを場所Ａにおける累積降雪量（既知）とし、Ｂを場所Ｂにおける累積降雪量（既知）とし、Ｃを場所Ｃにおける累積降雪量（既知）とし、Ｄを場所Ｄにおける累積降雪量（既知）とし、未知の場所Ｐ、Ｐ’における累積降雪量を内挿する方法を図示している。
【００６６】
図１５（ａ）は、雪雲がなく、かつ、風がない場合の場所Ｐの累積降雪量Ｐの内挿を説明する図である。ここで、累積降雪量Ｐは、ＫA、ＫB、ＫC、ＫDを所定の係数として、
Ｐ＝ＫA×Ａ＋ＫB×Ｂ＋ＫC×Ｃ＋ＫD×Ｄ
によって算出することができる。
【００６７】
一方、図１５（ｂ）は、場所Ａと場所Ｂに雪雲データがかかり、北西の風向データがあった場合の場所Ｐの累積降雪量Ｐ’の内挿を説明する図である。ここで、累積降雪量Ｐ’は、ＫA’、ＫB’、ＫC、ＫDを所定の係数として、
Ｐ’＝ＫA’×Ａ＋ＫB’×Ｂ＋ＫC×Ｃ＋ＫD×Ｄ
によって算出する。ただし、雪雲と風向の関係により、場所Ｐの累積降雪量Ｐ’は、場所Ａと場所Ｂによる影響が大きくなると見込めるので、ＫA’＞ＫA、ＫB’＞ＫBとしている。
【００６８】
このように、本発明に係る降積雪情報提供システム１では、雪雲データ、風向データを考慮した行うこととし、より精度の高い累積降雪量コンターを作成するようにしている。
【００６９】
なお、本実施形態では、気象情報発信サーバー６０から風向データを取得して利用する形態を取っているが、風向データとして降雪のある季節を通して一定であることが見込める場合には、気象情報発信サーバー６０から風向データを取得する必要はなく、固定値の風向データ（卓越風向データ）を用いることができる。
【００７０】
図１３のフローチャートに戻り、ステップＳ２０６では、累積降雪量コンター間隔データ（データベースＤＢ3）を取得し、ステップＳ２０７では、取得された累積降雪量コン
ター間隔で累積降雪量コンターデータを作成する。
【００７１】
ステップＳ２０８では、情報処理装置７０の表示部において、作成された累積降雪量コンターデータを地図データ上に表示する。図１６は、ステップＳ２０８による表示例を示
している。図１６は本発明の実施形態に係る降積雪情報提供システム１による累積降雪量コンターの表示例を示す図である。
【００７２】
このように、本発明に係る降積雪情報提供システム１では、各所に設置されている複数の消雪パイプユニット５０における降雪センサー５によって取得される降雪量データを情報処理装置７０が収集することで、地図上の平面的な広がりにおける積雪分布を把握することが可能となる。
【００７３】
次に、本発明に係る降積雪情報提供システム１の情報処理装置７０における他のデータ処理例について説明する。図１７は情報処理装置７０の処理アルゴリズムのフローチャートを示す図である。
【００７４】
情報処理装置７０は、ステップＳ３０１において、全ての消雪パイプユニット５０から温度データを取得し、続く、ステップＳ３０２では、測定されていない地点の温度データを内挿によって算出する。
【００７５】
次のステップＳ３０３で、情報処理装置７０の表示部において、温度コンターデータを地図データ上に表示する。ステップＳ３０３における表示例を図１８に示す。図１８は本発明の実施形態に係る降積雪情報提供システム１による温度コンターの表示例を示す図である。
【００７６】
このように本発明に係る降積雪情報提供システム１では、地図上の平面的な広がりにおける温度分布を把握することが可能となる。
【００７７】
次に、本発明に係る降積雪情報提供システム１の情報処理装置７０における他のデータ処理例について説明する。本発明に係る降積雪情報提供システム１は、降雪量に係る情報のみならず、積雪量に係る情報も提供することが可能に構成されている。以下、このためのデータ処理について説明する。
【００７８】
積雪量は、降り積もった雪が、解けたり（溶解したり）、時間と共に重み（自重）で沈んで圧縮したり（沈降したり）する分も含んだ量である。降り積もった雪が溶解することによって減少する雪の高さ［単位：ｃｍ］として「溶解量」を定義する。また、降り積もった雪が沈降することによって減少する雪の高さ［単位：ｃｍ］として「沈降量」を定義する。
【００７９】
図１９は情報処理装置７０の処理アルゴリズムのフローチャートを示す図である。
【００８０】
情報処理装置７０は、ステップＳ４０１において、全ての消雪パイプユニット５０から降雪量データ・温度データを取得し、履歴として記憶部（不図示）に記憶する。
【００８１】
ステップＳ４０２では、記憶部（不図示）に履歴として残されている降雪量データを時間積分することで、それぞれの消雪パイプユニット５０設置箇所における累積降雪量を算出する。
【００８２】
続く、ステップＳ４０３においては、累積降雪量・温度データから融解量・沈降量を算出する。融解量は、雪解けによって、累積降雪量から減少する高さ［ｃｍ］である。このような融解量を算出する際の概略について図２０を参照して説明する。図２０は溶解による累積降雪量の変化の概念を説明する図である。図２０において左側は初期の累積降雪量を模式的に示しており、右側は融解による減少量を模式的に示している。ここで、ｋを融解係数、Ｔを温度データとすると、融解量Ｍは、Ｍ＝ｋＴによって算出する。
【００８３】
また、沈降量は、自重による重みで圧縮されることで、累積降雪量から減少する高さ［ｃｍ］である。このような沈降量を算出する際の概略について図２１を参照して説明する。図２１は沈降による累積降雪量の変化の概念を説明する図である。図２１において左側は初期の累積降雪量を模式的に示しており、右側はある着目層における沈降量を模式的に示している。ここで、ある着目層の初期の高さをＬ［ｃｍ］、沈降後の高さをＬ’ ［ｃ
ｍ］とする。また、着目層上の雪の重荷をＷとし、雪の圧縮粘性係数（雪の密度の関数）をηとすると、Ｌ’は、
Ｌ’＝Ｌ（１−Ｗ／η）
によって求めることができる。図２１は、沈降による、ある着目層についてのみの高さ変化を算出するものであるので、累積降雪量の高さにわたる全ての層について考慮することで沈降による全体の高さ変化（沈降量）を算出することが可能となる。
【００８４】
次の、ステップＳ４０４では、累積降雪量・融解量・沈降量から積雪量を算出する。具体的には、（積雪量）＝（累積降雪量）−（融解量）−（沈降量）
によって、積雪量を算出する。
【００８５】
ステップＳ４０５では、積雪量が算出されていない地点の積雪量データを、ステップＳ４０４で算出された複数の地点の積雪量に基づいて内挿を行うことで算出する。
【００８６】
ステップＳ２０６では、情報処理装置７０の表示部において、作成された積雪量コンターデータを地図データ上に表示する。
【００８７】
このような図１９に関連するデータ処理によれば、屋根上の残雪量などに関連する情報につき、地図上での平面的な分布を把握することが可能となる。
【００８８】
以上のような本発明に係る降積雪情報提供システム１・降積雪情報提供方法は、消雪パイプユニット５０には、通信回線を介してデータの送受信を行うユニット側通信部５８が設けられ、降雪センサー５３で取得された降雪量データを前記ユニット側通信部５８から通信回線に送信するので、このような本発明に係る降積雪情報提供システム１・降積雪情報提供方法によれば、大きなコストをかけることなく、各所に設置されている複数の降雪センサー５３によって取得される降雪量データを収集することで、地図上の平面的な広がりにおける積雪分布を把握することが可能となる。
【００８９】
また、本発明に係る降積雪情報提供システム１・降積雪情報提供方法は、既存の降雪センサー５３及び消雪パイプ２０のインフラを利用し、前記インフラで得られた降雪量データやその他の情報を通信回線に接続するユニット側通信部を追加するのみで、通信回線を経由してリモートセンシングを実現することができる。
【００９０】
さらに、本発明に係る降積雪情報提供システム１・降積雪情報提供方法においては、降雪量データの演算処理部（情報処理装置７０）を追加することで、累積降雪量コンターを地図上に描画し、降雪状況の平面的分布を把握することができるようになる。
【００９１】
消雪パイプユニット５０から情報処理装置７０に収集され、情報処理装置７０の記憶部（不図示）に記憶されたデータは、観測領域における、瞬時降雪量、時系列降雪量、累積降雪量、積雪量を算出すると共に、累積降雪量コンターや積雪量コンターを地図上に描画し、面的分布を把握することを可能とする。
【符号の説明】
【００９２】
１・・・降積雪情報提供システム
２０・・・消雪パイプ
２２・・・パイプ
２５・・・散水ノズル
３０・・・ポンプ
５０・・・消雪パイプユニット
５１・・・主制御部
５３・・・降雪センサー
５４・・・温度センサー
５７・・・消雪パイプ制御部
５８・・・ユニット側通信部
６０・・・気象情報発信サーバー
７０・・・情報処理装置
８０・・・データベース
Ｎ・・・通信ネットワーク
【図１】
2019144012.tif 000003
【図２】
2019144012.tif 000004
【図３】
2019144012.tif 000005
【図４】
2019144012.tif 000006
【図５】
2019144012.tif 000007
【図６】
2019144012.tif 000008
【図７】
2019144012.tif 000009
【図８】
2019144012.tif 000010
【図９】
2019144012.tif 000011
【図１０】
2019144012.tif 000012
【図１１】
2019144012.tif 000013
【図１２】
2019144012.tif 000014
【図１３】
2019144012.tif 000015
【図１４】
2019144012.tif 000016
【図１５】
2019144012.tif 000017
【図１６】
2019144012.tif 000018
【図１７】
2019144012.tif 000019
【図１８】
2019144012.tif 000020
【図１９】
2019144012.tif 000021
【図２０】
2019144012.tif 000022
【図２１】
2019144012.tif 000023